(57)【要約】【課題】  設置する際に、高い設置自由度を確保し、また、設置後における良好な美観を確保する。【解決手段】  ケース２内に、断面視Ｖ字状の熱交換器３と、外気を取り入れて熱交換器３へ通し、冷媒と外気との熱交換を行わせる遠心ファン６とを設ける。ケース２の側面２ａに外気を吸い込む吸気口４を形成し、ケース２の前面２ｂ及び背面２ｃにケース２内の空気を排気する排気口５を設け、ケース２内への外気の吸気方向と熱交換後の空気の排気方向とを直交させる。【選択図】      図１
2005188770.tif 000002
【特許請求の範囲】
【請求項１】
ファンによってケース内に外気を取り入れて内部の熱交換器へ通し、該熱交換器にて冷媒と外気との熱交換を行う空気調和装置用室外機であって、
前記ケース内への外気の吸気方向と、熱交換後の空気の排気方向とが直交することを特徴とする空気調和装置用室外機。
【請求項２】
前記ケースは、側面あるいは下面に外気を吸い込む吸気口を有し、前面及び背面の両方もしくは少なくとも一方にケース内の空気を排気する排気口を有することを特徴とする請求項１に記載の空気調和装置用室外機。
【請求項３】
前記ケースは、側面あるいは下面に外気を吸い込む吸気口を有し、前面及び背面にケース内の空気を排気する排気口を有し、前記ケース内には、排気する空気を前面または背面のいずれか一方の排気口に導くダンパが設けられていることを特徴とする請求項１に記載の空気調和装置用室外機。
【発明の詳細な説明】
【技術分野】
【０００１】
本発明は、屋外に設置されて熱交換を行う空気調和装置用室外機に関するものである。
【背景技術】
【０００２】
空気調和装置は、屋外に設置される室外機を有しており、この室外機にて、冷媒と外気との熱交換を行っている。
【０００３】
この室外機は、例えば、プロペラファンを内蔵しており、このプロペラファンによって背面側の吸気口から外気を吸い込み、この吸い込んだ外気を、熱交換器を通して前面側の排気口から吹き出す構造のものが一般的である（例えば、特許文献１参照）。
【特許文献１】特開２００２−３４９９０６号公報
【発明の開示】
【発明が解決しようとする課題】
【０００４】
ところで、屋外に設置される室外機は、建物の外壁面に沿って設置されるが、背面側の吸気口から外気を吸い込むため、背面を壁面からある程度離して設置しなければならないなど、設置の自由度が低くかった。
また、背面の吸気口は、例えば、格子状の安全網などが設けられているものの、例えば、ベランダなどにて窓際に設置した場合、室内から熱交換器が見えてしまい、美観上好ましいものではなかった。
【０００５】
この発明は、上記事情に鑑みてなされたもので、高い設置自由度を確保しつつ良好な美観が得られた空気調和装置用室外機を提供することを目的としている。
【課題を解決するための手段】
【０００６】
上記目的を達成するために、本発明の空気調和装置用室外機は、ファンによってケース内に外気を取り入れて内部の熱交換器へ通し、該熱交換器にて冷媒と外気との熱交換を行う空気調和装置用室外機であって、前記ケース内への外気の吸気方向と、熱交換後の空気の排気方向とが直交することを特徴とする。
【０００７】
この発明の空気調和装置用室外機によれば、外気の吸気方向と空気の排気方向とを直交させたので、吸気方向を側方あるいは下方として排気方向を前後方向とすることにより、吸気方向と排気方向が同一方向であることより背面から吸い込んで前方側から排気する構造となり背面を壁面からある程度離して設置しなければならなかった従来装置と比較して、壁面との距離を考慮して設置するような規制がなくされ、設置の自由度を大幅に高めることができる。
【０００８】
さらに、本発明は、前記ケースが、側面あるいは下面に外気を吸い込む吸気口を有し、前面及び背面の両方もしくは少なくとも一方にケース内の空気を排気する排気口を有することが好ましい。
この発明によれば、吸気口が側面あるいは下面に形成されているので、背面に吸気口を有する従来装置と比較して、例えば、ベランダなどにて窓際に設置した場合でも、室内から熱交換器が見えてしまうような不具合がなく、良好な美観を得ることができる。
【０００９】
また、本発明は、前記ケースが、側面あるいは下面に外気を吸い込む吸気口を有し、前面及び背面にケース内の空気を排気する排気口を有し、前記ケース内には、排気する空気を前面または背面のいずれか一方の排気口に導くダンパが設けられていることが好ましい。
この発明によれば、ダンパによって前面あるいは背面のいずれかの排気口から選択して排気させることができる。これにより、前面あるいは背面のいずれか一方の排気口に、排気を引き込むダクトを接続し、このダクトを接続した排気口へ排気を送り込むことにより、排気を効率的に有効利用することができる。
【発明の効果】
【００１０】
この発明の空気調和装置用室外機によれば、外気の吸気方向と空気の排気方向とを直交させたので、吸気方向を側方あるいは下方として排気方向を前後方向とすることにより、吸気方向と排気方向が同一方向であることより背面から吸い込んで前方側から排気する構造となり背面を壁面からある程度離して設置しなければならなかった従来装置と比較して、壁面との距離を考慮して設置するような規制がなくされ、設置の自由度を大幅に高めることができる。
【発明を実施するための最良の形態】
【００１１】
以下、本発明を実施するための最良の形態について図面を参照して説明する。
図１は、本実施形態に係る空気調和装置用室外機の構造を説明する室外機の概略斜視図である。
図に示すように、この室外機１は、ケース２の内部に、熱交換器３を備えている。
【００１２】
この熱交換器３は、一対の平面部３ａを有する断面視Ｖ字状に形成されたもので、その内部に通された冷媒の熱交換を行う。そして、熱交換器３は、その平面部３ａを、それぞれケース２の両側面２ａに対して傾斜させて配置されている。
ケース２は、その両側面２ａにそれぞれ吸気口４を有し、また、熱交換器３よりも上部における前面２ｂ及び背面２ｃに排気口５を有している。
なお、これら吸気口４及び排気口５には、安全上、例えば、格子状の網などが取り付けられている。
【００１３】
また、この熱交換器３は、例えば、ターボファンあるいはシロッコファンなどの遠心ファン６を有している。この遠心ファン６は、図示しない吹き出し口が上方へ向けられており、前方側から吸い込んだ周囲の空気を上方へ向けて吹き出すものである。
【００１４】
そして、上記構造の室外機１では、遠心ファン６が駆動すると、ケース２の側面２ａの吸気口４から外気が吸い込まれ、側面２ａに対して傾斜して配置された熱交換器３の平面部３ａを通り、遠心ファン６に引き込まれる。これにより、熱交換器３内を流れる冷媒と外気との熱交換が行われる。
冷媒との間で熱交換を行った外気は、遠心ファン６によって上方へ吹き出され、ケース２の前面２ｂ及び背面２ｃの排気口５から外部へ排気される。
【００１５】
このように、上記の空気調和装置用室外機１によれば、外気の吸気方向と空気の排気方向とを直交させたので、吸気方向を側方として排気方向を前後方向とすることにより、吸気方向と排気方向が同一方向であることより背面から吸い込んで前方側から排気する構造となり背面を壁面からある程度離して設置しなければならなかった従来装置と比較して、設置時における建物の壁面との距離を考慮して設置するような規制がなくされ、設置の自由度を大幅に高めることができる。
【００１６】
また、吸気口４がケース２の側面２ａに形成されているので、背面に吸気口を有する従来装置と比較して、例えば、ベランダなどにて窓際に設置した場合でも、室内から熱交換器が見えてしまうような不具合がなく、良好な美観を得ることができる。
なお、上記実施の形態では、吸気方向を側方としたが下方に設けても、上記と同様な効果が得られる。
【００１７】
図２は、ケース２内にダンパ７を設けた室外機１である。このダンパ７は、遠心ファン６の上方位置に設けられ、遠心ファン６から吹き出され空気をケース２の前面２ｂの排気口５あるいは背面２ｃの排気口５のいずれか一方に切り替えるものである。
そして、このように、ダンパ７を設けた室外機１によれば、このダンパ７によって排気の流路を変更し、ケース２の前面２ｂあるいは背面２ｃの排気口５のいずれかに選択することができるので、例えば、図３に示すように、建物の壁際に設置した場合は、排気の流路をケース２の前面２ｂの排気口５にし、ケース２の前面２ｂ側から排気させることがきる。
【００１８】
そして、この場合、ケース２の前面２ｂ側の排気口５にダクト８を接続し、熱交換後の排気の有効利用を図ることができる。
つまり、この室外機１によれば、ダンパ７によって前面２ｂあるいは背面２ｃのいずれかの排気口５から選択して排気させることができ、前面２ｂあるいは背面２ｃのいずれか一方の排気口５に、排気を引き込むダクト８を接続し、このダクト８を接続した排気口５へ排気を送り込むことにより、排気を効率的に有効利用することができる。
【図面の簡単な説明】
【００１９】
【図１】本発明の実施形態に係る室外機の構造を説明する室外機の概略斜視図である。
【図２】室外機の上部の構造を示す概略断面図である。
【図３】室外機の設置例を示す室外機の概略側面図である。
【符号の説明】
【００２０】
１  空気調和装置用室外機
２  ケース
２ａ  側面
２ｂ  前面
２ｃ  背面
３  熱交換器
４  吸気口
５  排気口
６  遠心ファン（ファン）
７  ダンパ
【図１】
2005188770.tif 000003
【図２】
2005188770.tif 000004
【図３】
2005188770.tif 000005